(57)【特許請求の範囲】
【請求項１】
基板を収容するケース本体と、前記ケース本体に蓋をする蓋体とを含む基板ケースを封止する基板ケースの封止構造において、
前記ケース本体と前記蓋体とを封止する部材であって、前記封止のための操作を受ける操作部を備えた封止部材と、
前記操作部を覆い、前記操作部を視認可能な素材から成るＡ部、及び前記ケース本体と前記蓋体のうちの一方又は両方に取り付けられるＢ部を備えたカバー部材と、
少なくとも前記Ｂ部の一部に貼付され、一旦剥離すると復元困難な封印シールと、
を備え、
前記Ｂ部は、前記一方又は両方に設けられた凹部に挿入される挿入部を備え、前記封印シールは、前記挿入部を含む領域に貼付されていることを特徴とする基板ケースの封止構造。
【請求項２】
基板を収容するケース本体と、前記ケース本体に蓋をする蓋体とを含む基板ケースを封止する基板ケースの封止構造において、
前記ケース本体と前記蓋体とを封止する部材であって、前記封止のための操作を受ける操作部を備えた封止部材と、
前記操作部を覆い、前記操作部を視認可能な素材から成るＡ部、及び前記ケース本体と前記蓋体のうちの一方又は両方に取り付けられるＢ部を備えたカバー部材と、
少なくとも前記Ｂ部の一部に貼付され、一旦剥離すると復元困難な封印シールと、
を備え、
前記カバー部材は、前記一方又は両方とは反対側から、所定の間隔をおいて前記Ｂ部に対向する板状部材である対向部を備えることを特徴とする基板ケースの封止構造。
【請求項３】
基板を収容するケース本体と、前記ケース本体に蓋をする蓋体とを含む基板ケースを封止する基板ケースの封止構造において、
前記ケース本体と前記蓋体とを封止する部材であって、前記封止のための操作を受ける操作部を備えた封止部材と、
前記操作部を覆い、前記操作部を視認可能な素材から成るＡ部、及び前記ケース本体と前記蓋体のうちの一方又は両方に取り付けられるＢ部を備えたカバー部材と、
少なくとも前記Ｂ部の一部に貼付され、一旦剥離すると復元困難な封印シールと、
を備え、
前記一方は切り欠き部を有するとともに、前記ケース本体と前記蓋体のうちの前記一方ではない側は、前記切り欠き部に挿入される凸部を備え、
前記封印シールは、前記凸部と、前記一方のうち、前記凸部に隣接する部分とに跨って貼付されることを特徴とする基板ケースの封止構造。
【請求項４】
基板を収容するケース本体と、前記ケース本体に蓋をする蓋体とを含む基板ケースを封止する基板ケースの封止構造において、
前記ケース本体と前記蓋体とを封止する部材であって、前記封止のための操作を受ける操作部を備えた封止部材と、
前記操作部を覆い、前記操作部を視認可能な板状部材（孔が設けられているものを除く）から成るＡ部、及び前記ケース本体と前記蓋体のうちの一方又は両方に取り付けられるＢ部を備えたカバー部材と、
少なくとも前記Ｂ部の一部と前記一方又は両方とに跨って貼付され、一旦剥離すると復元困難な封印シールと、
を備える基板ケースの封止構造。
【発明の詳細な説明】
【技術分野】
【０００１】
本発明は、例えば、遊技機の制御基板等を収納する基板ケースの封止構造に関する。
【背景技術】
【０００２】
パチンコ機は、それをコントロールするためのＲＯＭ等の制御基板を裏側に備えている。この制御基板は、ケース本体と蓋体とから成る基板ケースに収納され、ケース本体と蓋体とは封止される。従来、基板ケースの封止を不正に解除することが困難であり、不正に封止が解除された場合はその発見が容易となる封止構造が提案されている。
【０００３】
例えば、本体ケースと蓋体とをワンウェイネジ等によって封止するいわゆるかしめ部を設け、そのかしめ部の上部を、剥がすことが困難な構造物（ボス蓋１３）で覆うことで、封止の解除を困難にする技術が提案されている（特許文献１参照）。
【特許文献１】特開平１１−２１４８６６号公報
【発明の開示】
【発明が解決しようとする課題】
【０００４】
しかしながら、特許文献１の技術では、かしめ部がボス蓋１３で隠れてしまうため、かしめ部による封止が不正に解除された場合に、その発見が遅れる可能性がある。また、ボス蓋１３の代わりに、かしめ部に封印シールを貼り、かしめ部を不正に解除することを困難する方法が考えられるが、この場合も、かしめ部による封止が不正に解除された場合は、かしめ部が封印シールで隠れてしまうため、その発見が遅れてしまう。
【０００５】
本発明は以上の点に鑑みなされたものであり、不正に封止が解除されたことを容易に発見できる基板ケースの封止構造を提供することを目的とする。
【課題を解決するための手段】
【０００６】
（１）請求項１の発明は、
基板を収容するケース本体と、前記ケース本体に蓋をする蓋体とを含む基板ケースを封止する基板ケースの封止構造において、前記ケース本体と前記蓋体とを封止する部材であって、前記封止のための操作を受ける操作部を備えた封止部材と、前記操作部を覆い、前記操作部を視認可能な素材から成るＡ部、及び前記ケース本体と前記蓋体のうちの一方又は両方に取り付けられるＢ部を備えたカバー部材と、少なくとも前記Ｂ部の一部に貼付され、一旦剥離すると復元困難な封印シールと、を備え、前記Ｂ部は、前記一方又は両方に設けられた凹部に挿入される挿入部を備え、前記封印シールは、前記挿入部を含む領域に貼付されていることを特徴とする基板ケースの封止構造を要旨とする。
【０００７】
基板ケースが封止されたとき、封止部材の操作部はカバー部材のＡ部で覆われているので、そのままでは、操作部を操作し、封止部材による封止を解除することは困難である。操作部を操作する準備として、カバー部材を前記一方又は両方から取り外すと、封印シールは、カバー部材のうち、前記一方又は両方に取り付けられるＢ部に貼付されているので、必然的に、封印シールに痕跡が残り、カバー部を取り外したことが後で確認できる。よって、本発明によれば、基板ケースの封止を不正に解除することを防止できる。
【０００８】
また、カバー部材のＡ部は、前記操作部を視認可能な素材から成るから、万一、操作部に不正行為がなされたときは、カバー部材を取り付けたまま、そのことを視認できる。
前記封止部材としては、例えば、いわゆる、かしめ部が挙げられ、具体的には、以下のようなものが挙げられる。
【０００９】
前記蓋体及び前記ケース本体を互いに固着するための棒状の固着手段（例えばネジ）と、
前記蓋体及び前記ケース本体のうちのいずれか一方に形成され、前記固着手段が通る貫通穴と、
前記蓋体及び前記ケース本体のうち、前記一方ではない方に形成され、前記貫通穴を通った前記固着手段と協働して前記蓋体及び前記ケース本体を互いに固着させる固着補助手段（例えば、前記ネジに対応する螺合穴）と、
から成るもの。
【００１０】
この場合、前記操作部は、棒状の固着手段（固着手段がネジである場合はネジの頭）である。前記貫通穴は、例えば、前記一方の側に設けられた第１ボス部に形成することができる。その第１ボス部は、例えば、切断容易な第１連結部により、前記一方に連結することができる。前記固着補助手段は、例えば、前記一方ではない方の側に設けられた第２ボス部に形成することができる。その第２ボス部は、例えば、切断容易な第２連結部により、前記一方ではない方に連結することができる。
【００１１】
前記復元困難な封印シールとしては、例えば、ＩＣタグを備え、封印シールを剥がそうとすると、ＩＣタグが破壊されてしまうもの、封印シールを剥がそうとすると、容易に破れてしまうもの、封印シールを剥がそうとすると、封印シールの一部が基板ケースに残ってしまうもの等が挙げられる。
【００１２】
前記封印シールは、例えば、Ｂ部の一部のみに貼付してもよいし、Ｂ部の一部と、基板ケースの一部（例えば、ケース本体の一部、蓋体の一部、又はそれらの両方）とに跨って貼付してもよい。
【００１３】
前記操作部を視認可能な素材としては、例えば、透明、または半透明の樹脂、ガラス等が挙げられる。
【００１４】
本発明では、封印シールの少なくとも一部が前記一方又は両方に設けられた凹部に挿入されるため、封印シールを不正に剥がすことが一層困難である。また、封印シールを保護することができる。
（２）請求項２の発明は、
板を収容するケース本体と、前記ケース本体に蓋をする蓋体とを含む基板ケースを封止する基板ケースの封止構造において、前記ケース本体と前記蓋体とを封止する部材であって、前記封止のための操作を受ける操作部を備えた封止部材と、前記操作部を覆い、前記操作部を視認可能な素材から成るＡ部、及び前記ケース本体と前記蓋体のうちの一方又は両方に取り付けられるＢ部を備えたカバー部材と、少なくとも前記Ｂ部の一部に貼付され、一旦剥離すると復元困難な封印シールと、を備え、前記カバー部材は、前記一方又は両方とは反対側から、所定の間隔をおいて前記Ｂ部に対向する板状部材である対向部を備えることを特徴とする基板ケースの封止構造を要旨とする。
【００１５】
本発明では、対向部を備えることにより、意図せず封印シールを破ってしまうようなことを防止でき、封印シールを保護することができる。
【００１７】
（３）請求項３の発明は、
基板を収容するケース本体と、前記ケース本体に蓋をする蓋体とを含む基板ケースを封止する基板ケースの封止構造において、前記ケース本体と前記蓋体とを封止する部材であって、前記封止のための操作を受ける操作部を備えた封止部材と、前記操作部を覆い、前記操作部を視認可能な素材から成るＡ部、及び前記ケース本体と前記蓋体のうちの一方又は両方に取り付けられるＢ部を備えたカバー部材と、少なくとも前記Ｂ部の一部に貼付され、一旦剥離すると復元困難な封印シールと、を備え、前記一方は切り欠き部を有するとともに、前記ケース本体と前記蓋体のうちの前記一方ではない側は、前記切り欠き部に挿入される凸部を備え、前記封印シールは、前記凸部と、前記一方のうち、前記凸部に隣接する部分とに跨って貼付されることを特徴とする基板ケースの封止構造を要旨とする。
【００１８】
本発明では、封印シールは、ケース本体と蓋体との両方に跨って貼付されるため、一旦封止した後、ケース本体と蓋体とを分離させると、必然的に封印シールが剥がされる。封印シールは、一旦剥離すると復元困難であるから、ケース本体と蓋体とを分離させたことが後で容易に確認できる。よって、蓋体とケース本体のうちの一方を、廃棄された遊技機の基板ケースなどから取得したものに入れ替える不正行為を防止することができる。
（４）請求項４の発明は、
基板を収容するケース本体と、前記ケース本体に蓋をする蓋体とを含む基板ケースを封止する基板ケースの封止構造において、前記ケース本体と前記蓋体とを封止する部材であって、前記封止のための操作を受ける操作部を備えた封止部材と、前記操作部を覆い、前記操作部を視認可能な板状部材（孔が設けられているものを除く）から成るＡ部、及び前記ケース本体と前記蓋体のうちの一方又は両方に取り付けられるＢ部を備えたカバー部材と、少なくとも前記Ｂ部の一部と前記一方又は両方とに跨って貼付され、一旦剥離すると復元困難な封印シールと、を備える基板ケースの封止構造を要旨とする。
【発明を実施するための最良の形態】
【００１９】
本発明の実施形態を図面に基づいて説明する。
１．第１の実施形態
（１）基板ケース１の構成及びその封止構造
図１〜図６に基づいて基板ケース１の構成及びその封止構造を説明する。図１は基板ケース１の全体構成を表す斜視図であり、図２〜図４は基板ケース１のうち、後述するボス対７周辺を表す斜視図であり、図５はボス対７の側断面図であり、図６は後述する封印シール２７の構成を表す説明図である。
【００２０】
基板ケース１は、パチンコ機の制御基板（図示略）を収容し、封止するためのケースであり、略直方体の形状を有する。基板ケース１は、制御基板を収容するケース本体３と、ケース本体３に蓋をする蓋体５とから構成される。蓋体５は、切り欠き部５ａを有し、ケース本体３は、蓋体５の側に突出する凸部３ａを有している。ケース本体３に蓋体５で蓋をしたとき、凸部３ａは切り欠き部５ａに挿入される。
【００２１】
ケース本体３と蓋体５との固定は、２組のボス対（封止部材）７により行われる。ボス対７は、蓋体５側に設けられた第１ボス９と、ケース本体３側に設けられた第２ボス１１とから構成される。第１ボス９は、第１連結部１３を介して蓋体５に取り付けられており、第２ボス１１は、第２連結部１５を介してケース本体３に取り付けられている。第１連結部１３及び第２連結部１５は、ともに、細い棒状の部材であり、切断容易である。
【００２２】
第１ボス９は略円柱状の部材であり、図５に示すように、その軸方向に貫通する貫通穴１７が形成されている。また、貫通穴１７の上方には、貫通穴１７に差し込まれるワンウェイネジ１９の頭（操作部）１９ａを隠すために座繰り２１が形成されている。第２ボス１１は略円柱状の部材であり、その軸方向に、ワンウェイネジ１９に対応した螺合穴２３が形成されている。
【００２３】
ケース本体３に蓋体５で蓋をしたとき、図５に示すように、第１ボス９と第２ボス１１とは、貫通穴１７及び螺合穴２３が同軸上となるように並ぶ。この状態で、ワンウェイネジ１９を貫通穴１７に通し、螺合穴２３にねじ込むことで、第１ボス９と第２ボス１１とが固定され、結果として、ケース本体３と蓋体５とが封止される。
【００２４】
なお、ボス対７は、図１に示すように、２組あるので、ケース本体３と蓋体５とを最初に封止するときは、そのうち一組のみを使用すればよい。一旦封止した後、封止を解除するには、封止に用いたボス対７を、第１連結部１３及び第２連結部１５の部分で、蓋体５及びケース本体３から切り離せばよい。その後、再度封止を行うには、もう一方のボス対７を用いればよい。
【００２５】
ケース本体３と蓋体５とを封止するときは、上記のようにボス対７をワンウェイネジ１９で固定した後、図４に示すように、固定に用いたボス対７の近傍に、カバー部材２５及び封印シール２７を取り付ける。カバー部材２５は、略Ｌ字型の部材であって、平らな板状部材であり、透明樹脂から成るＡ部２５ａと、やはり平らな板状部材であるＢ部２５ｂとから成る。カバー部材２５は、Ｂ部２５ｂにおいて、一対の一般ネジ２９、２９により、蓋体５に取り付けられる。このとき、Ａ部２５ａは、第１ボス９に差し込まれたワンウェイネジ１９の頭１９ａを、上方から覆う。なお、Ａ部２５ａは透明樹脂から成るので、Ａ部２５ａを通して頭１９ａを視認可能である。
【００２６】
封印シール２７は、図６（ａ）に示すように、略長方形の形状を有し、図６（ｂ）に示すように、接着剤で形成された粘着層３３、特殊紙から成る基材３５を積層した構造を有する。また、貼付前の状態では、粘着層３３に剥離紙３７が付されており、この剥離紙３７は、封印シール２７を貼付するときに除去される。基材３５の表面には、「封印」の文字がオフセット印刷されている（図１、図４参照）。
【００２７】
図６（ａ）に示すように、封印シール２７は、その１対角線の全体にわたって、インレット３１が組み込まれている。インレット３１の内部には、図示しないＩＣタグのミューチップ（超小型無線認識用ＩＣチップ）と外部アンテナが収容されている。インレット３１には、複数の切り込み３１ａが形成されている。そのため、封印シール２７を剥がそうとして、インレット３１に力が加わると、インレット３１は切り込み３１ａの部分で容易に切断される。インレット３１が切断されると、その中の外部アンテナも切断されてしまい、ＩＣタグは機能しなくなる。
【００２８】
図６（ａ）に示すように、粘着層３３及び基材３５にも、切り込み３６が形成されており、封印シール２７を剥がそうとして力が加わったとき、封印シール２７は、この切り込み３６の部分で容易に破れる。また、図６（ａ）に示すように、封印シール２７の周囲は波形に加工されている。そのため、封印シール２７を剥がそうとして力が加わったとき、封印シール２７は、この波形における谷の部分で容易に破れる。また、封印シール２７は、一旦貼付した後に剥がすと、粘着層３３及び基材３５の一部が分離し、その分離した部分は基板ケース１側に残ってしまう。
【００２９】
以上のように、封印シール２７は、一旦貼付した後に剥がすと、様々な痕跡が残り、復元困難であり、剥がしたことの発見が容易である。封印シール２７は、図１、及び図４に示すように、カバー部材２５のＢ部２５ｂ、蓋体５、及びケース本体３の凸部３ａに跨って貼付される。
【００３０】
図１、図３、及び図４に示すように、蓋体５のうち、第１ボス９が設けられた面には、第１ボス９を左右両側から挟むボス対カバー板３９が立設されている。また、ケース本体３のうち、第２ボス１１が設けられた面には、第２ボス１１の下側を覆うように、ボス対カバー板４１が立設されている。ケース本体３に蓋体５で蓋をしたとき、図１、図３及び図４に示すように、ボス対カバー板３９、４１は、ボス対７の左右及び下方の３面を覆う。
【００３１】
（２）基板ケース１の封止構造が奏する効果
(i)基板ケース１が封止されたとき、ボス対７の固定に用いられるワンウェイネジ１９の頭１９ａは、カバー部材２５のＡ部２５ａで覆われているので、そのままでは、ワンウェイネジ１９を取り外すことは困難である。ワンウェイネジ１９を取り除く準備として、カバー部材２５を蓋体５から取り外すと、封印シール２７は、カバー部材２５、及び蓋体５に跨って貼付されているので、必然的に、封印シール２７が剥がされる。封印シール２７は、上述したように、一旦貼付した後に剥がすと復元困難であり、痕跡が残ってしまうので、カバー部材２５を取り外したことが後で容易に確認できる。よって、基板ケース１の封止を不正に解除することを防止できる。
【００３２】
(ii)封印シール２７は、蓋体５と、ケース本体３（凸部３ａ）との両方に跨って貼付される。そのため、一旦封止した後、蓋体５とケース本体３とを分離させると、必然的に封印シール２７が剥がされる。封印シール２７は、上述したように、一旦貼付した後に剥がすと復元困難であり、痕跡が残ってしまうので、蓋体５とケース本体３とを分離させたことが後で容易に確認できる。よって、蓋体５とケース本体３のうちの一方を、廃棄された遊技機の基板ケースなどから取得したものに入れ替える不正行為を防止することができる。
【００３３】
(iii)カバー部材２５のＡ部２５ａは透明であるので、万一、ワンウェイネジ１９に不正行為がなされたときは、カバー部材２５を取り付けたまま、そのことを視認できる。
(iv) 基板ケース１が封止されたとき、第１連結部１３及び第２連結部１５は、カバー部材２５、ボス対カバー板３９、４１により周囲を囲まれている。そのため、第１連結部１３及び第２連結部１５において、ボス対７を不正に切り取る行為を防止できる。
（３）基板ケース１の封止構造における変形例
図７に示すように、基板ケース１の封止構造は、ボス対カバー板３９、４１を備えないものであってもよい。この場合でも、上述した効果(i)〜(iii)を奏することができる。
【００３４】
２．第２の実施形態
（１）基板ケース１の構成及びその封止構造
本実施形態における基板ケース１の構成及びその封止構造は、基本的には前記第１の実施形態と同様であるが、ボス対７の周囲において相違する。以下では、その相違点を中心に、図８及び図９に基づいて説明する。図８及び図９は、基板ケース１のうち、ボス対７の周辺を表す斜視図である。
【００３５】
図８に示すように、カバー部材２５は、透明樹脂から成り、ワンウェイネジ１９の頭１９ａを覆う板状部材であるＡ部２５ａと、Ａ部２５ａと直交する板状部材であり、ボス対７の側面を覆うＣ部２５ｃと、Ｃ部２５ｃと直交する板状部材であり、一般ネジ２９により蓋体５に取り付けられるＢ部２５ｂとから成る。
【００３６】
また、基板ケース１の封止には、カバー部材２５とともに、カバー部材２５とは面対象の形状を有するカバー部材４３が用いられる。カバー部材４３は、第２ボス１１の底面１１ａを覆うＡ部４３ａと、Ａ部４３ａと直交する板状部材であり、ボス対７の側面を覆うＣ部４３ｃと、Ｃ部４３ｃと直交する板状部材であり、一般ネジ２９によりケース本体３に取り付けられるＢ部４３ｂとから成る。カバー部材２５、４３を取り付けたとき、図９に示すように、ボス対７の３方が覆われる。
【００３７】
封印シール２７は、ケース本体３、カバー部材４３のＢ部４３ｂ、カバー部材２５のＢ部２５ｂ、及び蓋体５に跨って貼付される。
（２）基板ケース１の封止構造が奏する効果
(i)基板ケース１が封止されたとき、ボス対７の固定に用いられるワンウェイネジ１９の頭１９ａはカバー部材２５のＡ部２５ａで覆われているので、そのままでは、ワンウェイネジ１９を取り外すことは困難である。ワンウェイネジ１９を取り除く準備として、カバー部材２５を蓋体５から取り外すと、封印シール２７は、カバー部材２５、及び蓋体５に跨って貼付されているので、必然的に、封印シール２７が剥がされる。封印シール２７は、一旦貼付した後に剥がすと復元困難であり、痕跡が残ってしまうので、カバー部材２５を取り外したことが後で容易に確認できる。よって、基板ケース１の封止を不正に解除することを防止できる。
【００３８】
(ii)封印シール２７は、蓋体５と、ケース本体３との両方に跨って貼付される。そのため、一旦封止した後、蓋体５とケース本体３とを分離させると、必然的に封印シール２７が剥がされる。封印シール２７は、一旦貼付した後に剥がすと復元困難であり、痕跡が残ってしまうので、蓋体５とケース本体３とを分離させたことが後で容易に確認できる。よって、蓋体５とケース本体３のうちの一方を、廃棄された遊技機の基板ケースなどから取得したものに入れ替える不正行為を防止することができる。
【００３９】
(iii)カバー部材２５のＡ部２５ａは透明であるので、万一、ワンウェイネジ１９に不正行為がなされたときは、カバー部材２５を取り付けたまま、そのことを視認できる。
(iv)基板ケース１が封止されたとき、第１連結部１３及び第２連結部１５は、カバー部材２５、４３により周囲を囲まれている。そのため、第１連結部１３及び第２連結部１５において、ボス対７を切り取る不正行為を防止できる。
（３）基板ケース１の封止構造における変形例
図１０に示すように、基板ケース１の封止構造は、カバー部材４３を備えないものであってもよい。この場合でも、上述した効果(i)〜(iii)を奏することができる。
【００４０】
３．第３の実施形態
（１）基板ケース１の構成及びその封止構造
本実施形態における基板ケース１の構成及びその封止構造は、基本的には前記第１の実施形態と同様であるが、ボス対７の周囲において相違する。以下では、その相違点を中心に、図１１及び図１２に基づいて説明する。図１１及び図１２は、基板ケース１のうち、ボス対７の周辺を表す斜視図である。
【００４１】
図１１に示すように、カバー部材２５は、透明樹脂から成り、ワンウェイネジ１９の頭１９ａを覆う板状部材であるＡ部２５ａと、Ａ部２５ａと直交する板状部材であり、蓋体５に当接するＢ部２５ｂと、Ｂ部２５ｂの両端から、蓋体５の内部に入り込む方向に立設された一対の板状部材である挿入部２５ｄ、２５ｅから成る。
【００４２】
蓋体５には、一対のスリット（凹部）４５、４７が形成されており、カバー部材２５は、そのスリット４５、４７に挿入部２５ｄ、２５ｅを挿入することで、蓋体５に対し固定される。
【００４３】
挿入部２５ｄ、２５ｅの内側には、周囲よりも突出した係止部４９、５１が形成されている。挿入部２５ｄ、２５ｅをスリット４５、４７に挿入したとき、係止部４９、５１は、蓋体５の内側の端面に係止され、カバー部材２５の脱落を防止する。また、挿入部２５ｄ、２５ｅの根元付近の内側には、周囲よりも肉厚が薄くなった切断容易部５３、５５が形成されている。カバー部材２５を蓋体５に取り付けた後、この切断容易部５３、５５にて挿入部２５ｄ、２５ｅを切断することで、カバー部材２５を取り外すことができる。
【００４４】
封印シール２７は、カバー部材２５のＢ部２５ｂ、挿入部２５ｄ、２５ｅに跨って貼付され、封印シール２７の長手方向における端部２７ａは、挿入部２５ｄ、２５ｅ上に位置する。カバー部材２５の挿入部２５ｄ、２５ｅを蓋体５のスリット４５、４７に挿入したとき、封印シール２７の端部２７ａは、蓋体５の内部に位置する。なお、端部２７ａの位置は、切断容易部５３、５５よりも奥側である。
【００４５】
（２）基板ケース１の封止構造が奏する効果
(i)基板ケース１が封止されたとき、ボス対７の固定に用いられるワンウェイネジ１９の頭１９ａはカバー部材２５のＡ部２５ａで覆われているので、そのままでは、ワンウェイネジ１９を取り外すことは困難である。ワンウェイネジ１９を取り除く準備として、カバー部材２５を蓋体５から取り外すためには、切断容易部５３、５５にて挿入部２５ｄ、２５ｅを切断する必要がある。封印シール２７は、挿入部２５ｄ、２５ｅにおいて、切断容易部５３、５５よりも奥側まで貼付されているので、切断容易部５３、５５にて挿入部２５ｄ、２５ｅを切断すると、必然的に、封印シール２７も切断される。封印シール２７を切断すると、インレット３１に収容されたＩＣタグが破壊され、カバー部材２５を取り外したことが後で容易に確認できる。よって、基板ケース１の封止を不正に解除することを防止できる。
【００４６】
(ii)カバー部材２５のＡ部２５ａは透明であるので、万一、ワンウェイネジ１９に不正行為がなされたときは、カバー部材２５を取り付けたまま、そのことを視認できる。
(iii)封印シール２７の端部２７ａは、蓋体５の内部に位置するため、封印シール２７を不正に剥がすことが一層困難である。また、封印シール２７を保護することができる。
【００４７】
(iv)基板ケース１が封止されたとき、第１連結部１３及び第２連結部１５は、カバー部材２５、ボス対カバー板３９、４１により周囲を囲まれている。そのため、第１連結部１３及び第２連結部１５において、ボス対７を切り取る行為を防止できる。
（３）基板ケース１の封止構造における変形例（その１）
図１３に示すように、封印シール２７の端部２７ａのうち一方は、スリット４７内に入れず、ケース本体３の凸部３ａ、及び蓋体５に跨るように貼付してもよい。この場合、以下の効果を奏することができる。すなわち、封印シール２７は、蓋体５と、ケース本体３（凸部３ａ）との両方に跨って貼付されるため、一旦封止した後、蓋体５とケース本体３とを分離させると、必然的に封印シール２７が剥がされる。封印シール２７は、一旦貼付した後に剥がすと復元困難であり、痕跡が残ってしまうので、蓋体５とケース本体３とを分離させたことが後で容易に確認できる。よって、蓋体５とケース本体３のうちの一方を、廃棄された遊技機の基板ケースなどから取得したものに入れ替える不正行為を防止することができる。
（４）基板ケース１の封止構造における変形例（その２）
図１４に示すように、基板ケース１の封止構造は、ボス対カバー板３９、４１を備えず、封印シール２７の端部２７ａのうち一方は、スリット４７内に入れず、ケース本体３の凸部３ａ、及び蓋体５に跨るように貼付してもよい。
【００４８】
この場合、封印シール２７は、蓋体５と、ケース本体３との両方に跨って貼付されるため、一旦封止した後、蓋体５とケース本体３とを分離させると、必然的に封印シール２７が剥がされる。封印シール２７は、一旦貼付した後に剥がすと復元困難であり、痕跡が残ってしまうので、蓋体５とケース本体３とを分離させたことが後で容易に確認できる。よって、蓋体５とケース本体３のうちの一方を、廃棄された遊技機の基板ケースなどから取得したものに入れ替える不正行為を防止することができる。
（５）基板ケース１の封止構造における変形例（その３）
図１５に示すように、基板ケース１の封止構造は、ボス対カバー板３９、４１を備えないものであってもよい。
【００４９】
４．第４の実施形態
（１）基板ケース１の構成及びその封止構造
本実施形態における基板ケース１の構成及びその封止構造は、基本的には前記第３の実施形態と同様であるが、カバー部材２５の構成において一部相違する。以下では、その相違点を中心に、図１６及び図１７に基づいて説明する。図１６及び図１７はカバー部材２５の構成を表す説明図である。
【００５０】
カバー部材２５は、前記第３の実施形態におけるカバー部材２５の各構成を備えるとともに、所定の間隔をおいてＢ部２５ｂに対向する板状部材である対向部２５ｆを備える。対向部２５ｆとＢ部２５ｂとの間隔は、封印シール２７の厚みより大きく、後から対向部２５ｆとＢ部２５ｂとの間に封印シール２７を差し込み、貼付することができる間隔である。
【００５１】
対向部２５ｆは、凸レンズで形成され、縦、横ともに、Ｂ部２５ｂよりも大きい。封印シール２７をＢ部２５ｂに貼付したとき、封印シール２７は、Ｂ部２５ｂと対向部２５ｆとで両側を挟まれる。なお、封印シール２７は、図１６（ａ）及び図１７（ｂ）に示すように、挿入部２５ｄ、２５ｅに貼付してもよいし、図１６（ｂ）及び図１７（ｃ）に示すように、挿入部２５ｄには貼付するが、挿入部２５ｅには貼付せず、蓋体５の表面に貼付するようにしてもよい。
【００５２】
上記のように、Ｂ部２５ｂよりも大きい対向部２５ｆで封印シール２７を覆うことにより、意図せず封印シール２７を破ってしまうようなことを防止でき、封印シール２７を保護することができる。
【００５３】
また、対向部２５ｆは凸レンズであるので、対向部２５ｆを見れば封印シール２７が拡大して表示される。そのことにより、封印シール２７に対する不正行為の発見が一層容易になる。
【００５４】
尚、本発明は前記実施の形態になんら限定されるものではなく、本発明を逸脱しない範囲において種々の態様で実施しうることはいうまでもない。
例えば、各実施形態において、ケース本体３と蓋体５とを、前記実施の形態とは逆にしてもよい。すなわち、第１ボス９、カバー部材２５等をケース本体３側に取り付け、第２ボス１１等を蓋体５側に取り付けてもよい。
【００５５】
また、第１の実施形態において、カバー部材２５を、ケース本体３と蓋体５との両方に取り付けてもよい。例えば、図３において、一般ネジ２９の一方の取り付け孔を蓋体５に設け、他方の一般ネジ２９の取り付け孔を、凸部３ａに設けることで、カバー部材２５を、ケース本体３と蓋体５との両方に取り付けることができる。
【００５６】
また、「操作部」に該当する部分は、ワンウェイネジ１９の頭以外であってもよい。例えば、第１ボス９と第２ボス１１との固定に、部材の先に係止部が付いているもの（押し込むだけで係合するタイプ）を用いることができ、その場合は、上記係止部が「操作部」となる。
【００５７】
第３の実施形態において、図１３に示すように、スリット４５、４７を蓋体５に形成するのではなく、スリット４５は蓋体５に形成し、スリット４７は、凸部３ａの中に形成することができる。この場合、カバー部材２５の挿入部２５ｄは、蓋体５に形成されたスリット４５に挿入され、挿入部２５ｅは、ケース本体３（凸部３ａ）に形成されたスリット４７に挿入される。
【図面の簡単な説明】
【００５８】
【図１】基板ケース１の全体構成を表す斜視図である。
【図２】蓋体５とケース本体３が分離した状態にある基板ケース１のうち、ボス対７周辺を表す斜視図である。
【図３】封印シール２７及びカバー部材２５を取り付ける前の状態にある基板ケース１のうち、ボス対７周辺を表す斜視図である。
【図４】基板ケース１のうち、ボス対７周辺を表す斜視図である。
【図５】ボス対７の側断面図である。
【図６】封印シール２７の構成を表す説明図であって、（ａ）は平面図、（ｂ）は断面図である。
【図７】基板ケース１のうち、ボス対７周辺を表す斜視図である。
【図８】封印シール２７及びカバー部材２５、４３を取り付ける前の状態にある基板ケース１のうち、ボス対７周辺を表す斜視図である。
【図９】基板ケース１のうち、ボス対７周辺を表す斜視図である。
【図１０】基板ケース１のうち、ボス対７周辺を表す斜視図である。
【図１１】封印シール２７及びカバー部材２５を取り付ける前の状態にある基板ケース１のうち、ボス対７周辺を表す斜視図である。
【図１２】基板ケース１のうち、ボス対７周辺を表す斜視図である。
【図１３】基板ケース１のうち、ボス対７周辺を表す斜視図である。
【図１４】基板ケース１のうち、ボス対７周辺を表す斜視図である。
【図１５】基板ケース１のうち、ボス対７周辺を表す斜視図である。
【図１６】カバー部材２５の構成を表す斜視図であり、（ａ）は封印シール２７の一端を挿入部２５ｅに貼付した状態を表し、（ｂ）は封印シール２７の一端を蓋体５に貼付した状態を表す。
【図１７】カバー部材２５の構成を表す説明図であり、（ａ）は側面図、（ｂ）は封印シール２７の一端を挿入部２５ｅに貼付した状態における平面図、（ｃ）は封印シール２７の一端を蓋体５に貼付した状態における平面図である。
【符号の説明】
【００５９】
１・・・基板ケース、３・・・ケース本体、３ａ・・・凸部、
５・・・蓋体、５ａ・・・切り欠き部、７・・・ボス対、９・・・第１ボス、
１１・・・第２ボス、１１ａ・・・底面、１３・・・第１連結部、
１５・・・第２連結部、１７・・・貫通穴、１９・・・ワンウェイネジ、
１９ａ・・・頭、２１・・・座繰り、２３・・・螺合穴、２５、４３・・・カバー部材、
２５ａ・・・Ａ部、２５ｂ・・・Ｂ部、２５ｃ・・・Ｃ部、
２５ｄ、２５ｅ・・・挿入部、２５ｆ・・・対向部、２７・・・封印シール、
２７ａ・・・端部、２９・・・一般ネジ、３１・・・インレット、
３１ａ、３６・・・切り込み、３３・・・粘着層、３５・・・基材、３７・・・剥離紙、
３９、４１・・・ボス対カバー板、４３ａ・・・Ａ部、４３ｂ・・・Ｂ部、
４３ｃ・・・Ｃ部、４５、４７・・・スリット、４９、５１・・・係止部、
５３、５５・・・切断容易部
【図１】
0005157628.tif 000002
【図２】
0005157628.tif 000003
【図３】
0005157628.tif 000004
【図４】
0005157628.tif 000005
【図５】
0005157628.tif 000006
【図７】
0005157628.tif 000007
【図８】
0005157628.tif 000008
【図９】
0005157628.tif 000009
【図１０】
0005157628.tif 000010
【図１１】
0005157628.tif 000011
【図１２】
0005157628.tif 000012
【図１３】
0005157628.tif 000013
【図１４】
0005157628.tif 000014
【図１５】
0005157628.tif 000015
【図１６】
0005157628.tif 000016
【図１７】
0005157628.tif 000017
【図６】
0005157628.tif 000018